(57)【要約】【課題】  効果的でありかつ実装が簡単で経済的な、包装機を提供する。【解決手段】  タバコ包装機１の一部分を形成する被包ホイール２には、少なくとも一つの搬送ヘッド４が装備され、搬送ヘッドは、ポケット５を有すると共に、ホイール２によって送り通路Ｐに沿い担持される。搬送ヘッドは、製品６がポケット５内に指向される第１部署Ｓ１を通過し、次いで被包材料リーフ８がポケット５上に配置されかつ枢動把持装置２０によって予め定められた位置に維持される第２部署Ｓ２を通過し、最後に、製品６がポケット５から排出され、包装材料リーフ８と対にされ、別の被包ホイール１４にリーフ８と共に移送される送り出し部署Ｓ３を通過し、把持装置２０は、被包ホイール２の周辺範囲の外側に位置決めされた適切な伝達要素３３及び移動要素３４との直接相互作用によって作動される。【選択図】      図１
2005104592.tif 000002
【特許請求の範囲】
【請求項１】
製品（６）を内部に受け入れるための少なくとも一つのポケット（５）と、製品を包むようになっている被包材料リーフ（８）を内部に受け入れるための予め定められた少なくとも一つの配置領域（７）とを提供し、これら製品（６）及び被包材料リーフ（８）を送り通路（Ｐ）に沿って前進させるように中心軸線（３）回りに回転される搬送ホイール（２）と、
それぞれの被包材料リーフ（８）を予め定められた配置領域（７）に接触させつつ保持する保留手段（５２）と、
送り通路（Ｐ）に沿って配置された第１送り込み部署（Ｓ１）であって、ここにおいて製品（６）がポケット（５）内に指向される第１送り込み部署（Ｓ１）と、送り通路（Ｐ）に沿って配置された第２送り込み部署（Ｓ２）であって、ここにおいて単一の被包材料リーフ（８）が予め定められた配置領域（７）内に指向される第２送り込み部署（Ｓ２）と、製品（６）を搬送ホイール（２）から排出して対応する被包材料リーフ（８）と共に外部搬送手段（１４）まで移送する手段（１９）と、を具備した包装機械において、
保留手段（５２）が、被包材料リーフ（８）が保留されかつ予め定められた配置領域（７）に接触されつつ保持される第１安定位置と、被包材料リーフ（８）が解放される第２安定位置との間を移動できる少なくとも一つの把持装置（２０）を具備した包装機械。
【請求項２】
前記把持装置（２０）が、前記ホイール（２）上に位置決めされると共に、第１安定保留位置と第２安定解放位置との間で枢動するように、対応する軸線（２７）に支持される請求項１に記載の包装機械。
【請求項３】
前記保留手段（５２）が、前記把持装置（２０）が第１及び第２安定位置に維持されるのを保証するよう構成された保持手段（５１）を具備した請求項１または２に記載の包装機械。
【請求項４】
前記保持手段（５１）が、少なくとも、前記把持装置（２０）に付設された第１の強磁性材料部分（２８）と、前記ホイール（２）に強固に付設された第２の強磁性材料部分（２９）とを具備し、第１及び第２の強磁性材料部分（２８、２９）が互いに引き付けられる請求項３に記載の包装機械。
【請求項５】
前記把持装置（２０）が第１安定保留位置を占めるときに、前記第１及び第２の強磁性材料部分（２８、２９）が実質的に互いに接触しつつ配置され、介在される被包材料リーフ（８）によってのみ分離される請求項４に記載の包装機械。
【請求項６】
前記保持手段（５１）が、前記把持装置（２０）に付設された第３の強磁性材料部分（３０）と、前記ホイール（２）に強固に付設された第４の強磁性材料部分（３１）とをさらに具備し、第３及び第４の強磁性材料部分（３０、３１）が互いに引き付けられる請求項３から５までのいずれか一項に記載の包装機械。
【請求項７】
前記把持装置（２０）が第２安定解放位置を占めるときに、前記第３及び第４の強磁性材料部分（３０、３１）が実質的に互いに接触しつつ配置される請求項６に記載の包装機械。
【請求項８】
前記把持装置（２０）を第１安定保留位置と第２安定解放位置との間で切り換えるアクチュエータ手段（５０）を具備した請求項１から７までのいずれか一項に記載の包装機械。
【請求項９】
前記アクチュエータ手段（５０）が伝達要素（３３）を具備し、該伝達要素が、前記搬送ホイール（２）の寸法範囲の外側に位置決めされると共に、おおむね被包材料リーフ（８）が前記予め定められた配置領域（７）内に指向される時点において、第２安定位置を占めている前記可動の把持装置（２０）を妨害するよう位置決めされる請求項８に記載の包装機械。
【請求項１０】
前記伝達要素（３３）が、前記ホイール（２）の中心軸線（３）に対し略平行の軸線（３２ａ）回りに自由回転可能なローラ（３２）である請求項９に記載の包装機械。
【請求項１１】
前記アクチュエータ手段（５０）が移動要素（３４）を具備し、該移動要素（３４）は、第１安定位置を占めるときに前記可動の把持装置（２０）に係合すると共に、被包材料リーフ（８）が解放される第２安定位置を取ることを前記把持装置に強制するようになっている請求項８から１０までのいずれか一項に記載の包装機械。
【請求項１２】
前記移動要素（３４）が、対応するモータによって作動されるレバー（３５）を具備した請求項１１に記載の包装機械。
【請求項１３】
前記移動要素（３４）が、空圧式または油圧式アクチュエータを具備した請求項１１に記載の包装機械。
【請求項１４】
前記移動要素（３４）が磁気反発手段を具備した請求項１１に記載の包装機械。
【請求項１５】
前記磁気反発手段が少なくとも一つの電磁石を具備し、該少なくとも一つの電磁石が、前記搬送ホイール（２）の寸法範囲の外側の前記包装機械の一部分に取り付けられ、前記把持装置（２０）の第２アーム（２０ｂ）と対面する位置にある該搬送ホイール（２）に対し固定され、該第２アームに対し磁気反発力を及ぼすように構成される請求項１４に記載の包装機械。
【請求項１６】
前記把持装置（２０）がそれぞれ対応する装着部（２５）によって担持され、前記搬送ホイール（２）が装着部（２５）を収納するハウジング手段（４４）を具備し、該手段が、搬送ホイールの周辺領域に配置されると共に、装着部（２５）が取り得る、搬送ホイール（２）の軸線（３）に対するさまざまな複数の角度位置を確立するように構成され、各角度位置により、前記予め定められた配置領域（７）が、さまざまなサイズの包装材料リーフ（８）を受け入れることが可能となる請求項１から１５までのいずれか一項に記載の包装機械。
【請求項１７】
前記ハウジング手段（４４）が、前記搬送ホイール（２）の円弧に沿って連続的に配置された複数の孔（４５）を具備し、これら孔（４５）は、前記装着部（２５）に係合するよう構成された、それぞれ対応する締結要素（４６）を受け入れるようになっている請求項１６に記載の包装機械。
【請求項１８】
前記装着部（２５）が、締結手段（４６）が係合可能な領域（４９）を提供する請求項１７に記載の包装機械。
【請求項１９】
前記係合可能な領域（４９）が、締結手段（４６）を挿入可能な少なくとも一つの間隙開口（４８）を具備した請求項１８に記載の包装機械。
【請求項２０】
前記少なくとも一つの間隙開口（４８）が、前記ホイール（２）に対する装着部（２５）の位置の微調整を可能にするスロットとして形成される請求項１８に記載の包装機械。
【請求項２１】
前記搬送ホイール（２）は、中心軸線（３）回りに間欠的に回転駆動され、該搬送ホイール（２）には、前記搬送ホイールの展開可能な周辺及び周長の周りに、等間隔に離間された複数の把持装置（２０）が設けられる請求項１から２０までのいずれか一項に記載の包装機械。
【発明の詳細な説明】
【技術分野】
【０００１】
本発明は包装機械に関する。
【０００２】
本明細書ではタバコ包装機即ちタバコ小包体を組み立てるための機械が明示的に参照されるが、一般的な範囲の限定を意味していない。
【背景技術】
【０００３】
従来技術における構成のタバコ包装機は、典型的に、複数の搬送ヘッドが装備された被包ホイールを具備し、前記搬送ヘッドの各々は、被包のための製品を収容して保留するようなポケットと、予め定められた配置領域とを提供する。この配置領域内において、被包材料からなる対応するリーフないし葉状片が、予め定められた位置にある対応するポケットの口部上に、対応する保留要素により受け取られて保持される。
【０００４】
作動時、ホイールは、搬送ヘッドが円形通路に沿いつつ第１送り込み部署、第２送り込み部署、及び送り出し部署を通過して前進するように固定中心軸線回りに間欠的に回転駆動される。第１送り込み部署では、製品がポケット内に指向される。第２送り込み部署では、被包材料リーフが予め定められた配置領域に位置決めされる。送り出し部署では、製品がポケットから排出され、被包材料リーフに対し強制的に指向され、従って当該リーフと共に別の被包ホイールに移送される。
【０００５】
前述の保留要素は、通常、被包材料リーフの一端を押さえ付けるよう機能する２つの把持装置から構成され、把持装置自体は一つ又は複数のバネによって作動位置に維持される。
【０００６】
被包材料リーフに対し把持装置によって及ぼされる保留作用を効果的にするために、バネは、強い弾性力を印加できなければならない。
【０００７】
被包材料リーフが上述のように予め定められた配置領域に位置決めされるときに、把持装置は、リーフの挿入を可能にするのに十分な予め決められた持続時間にわたり、適切な手段により開放保持されなければならず即ち受け取り位置に維持されなければならない。当該手段は、予め定められた持続時間にわたってバネ力を克服できなければならない。
【０００８】
従来技術には、必要な持続時間にわたり把持装置を開放保持するための手段として、電磁石を用いることも含まれる。
【０００９】
強い弾性力を及ぼすことができるバネと共に、さらに強い磁力を発生するのに十分なサイズの磁石に対する必要性が生じている。さらに、構造上の理由から、複数の磁石を、互いに直接接触しつつ配置することができず、しかし空隙によって分離しなければならず、従ってこの間隙の存在は、強力な磁力の獲得がさらにより困難であることを意味する。
【００１０】
従って、上述の型式の包装機には不都合がないとは言えない。
【００１１】
このような不都合の一つ目は、一方では、著しく強力なバネが必要であり、他方では、バネによって及ぼされる弾性力に対抗する磁石の力及び嵩を制限する必要があるということである。これらの矛盾する要件は、満足するにはほど遠い傾向の妥協的解決方法をもたらす。
【００１２】
従来の包装機の使用に関連するさらなる不都合は、さまざまなサイズの被包されうる製品に関して包装機の汎用性が限定されることである。
【００１３】
実際に、被包ホイール上の保留手段の位置は被包材料リーフの寸法も指定し、また、把持装置のサイズを変更するために高コストで労力がかかる改良を実施することによってのみ、ある程度の適合性を得ることができ、機械がさまざまなサイズの製品を受け入れできるようにする。
【００１４】
そうであっても、このようにして得られる適合性は、要件を満足するには不十分であることが多い。
【発明の開示】
【００１５】
本発明の目的は、前述の不都合の影響を受けず、例えば効果的でありかつ実装が簡単で経済的な、包装機を提供することである。
【００１６】
上記目的は、本発明による包装機械で十分に実現され、当該包装機械の特徴は、添付した請求項１、好ましくは請求項１に直接的または間接的に従属するいずれか一つの請求項に記載されている。
【００１７】
本願請求項１によれば、製品（６）を内部に受け入れるための少なくとも一つのポケット（５）と、製品を包むようになっている被包材料リーフ（８）を内部に受け入れるための予め定められた少なくとも一つの配置領域（７）とを提供し、これら製品（６）及び被包材料リーフ（８）を送り通路（Ｐ）に沿って前進させるように中心軸線（３）回りに回転される搬送ホイール（２）と、それぞれの被包材料リーフ（８）を予め定められた配置領域（７）に接触させつつ保持する保留手段（５２）と、送り通路（Ｐ）に沿って配置された第１送り込み部署（Ｓ１）であって、ここにおいて製品（６）がポケット（５）内に指向される第１送り込み部署（Ｓ１）と、送り通路（Ｐ）に沿って配置された第２送り込み部署（Ｓ２）であって、ここにおいて単一の被包材料リーフ（８）が予め定められた配置領域（７）内に指向される第２送り込み部署（Ｓ２）と、製品（６）を搬送ホイール（２）から排出して対応する被包材料リーフ（８）と共に外部搬送手段（１４）まで移送する手段（１９）と、を具備した包装機械において、保留手段（５２）が、被包材料リーフ（８）が保留されかつ予め定められた配置領域（７）に接触されつつ保持される第１安定位置と、被包材料リーフ（８）が解放される第２安定位置との間を移動できる少なくとも一つの把持装置（２０）を具備した包装機械が提供される。
【００１８】
次に、添付図面を参照しつつ例を挙げて本発明を詳細に説明する。
【発明を実施するための最良の形態】
【００１９】
添付図面の図１、図２及び図３を参照すると、参照符号１はタバコ包装機の全体を示しており、タバコ包装機１には、従来の方法で動力駆動されかつ図１の紙面に対し垂直な軸線３回りに回転して割り出される搬送ホイール２が装備されている。この搬送ホイール２は、軸線３の周りで同一の角度距離で互いに離間した４つの周辺ヘッド４を担持する。各ヘッド４は、軸線３に対して半径方向に位置決めされたタバコのグループ６を収容して保留するようなポケットまたは第１凹部５と、ホイール２の外周に沿って延在しかつ第１凹部５に付設された予め定められた配置領域ないし第２凹部７とを提供する。第２凹部７は、被包材料からなるリーフないし葉状片８が第１凹部５の口部９を横切って平坦に延在するように、被包材料リーフ８をホイール２の周辺に接する位置に収容して保留するよう機能する。
【００２０】
各ヘッド４は、回転するホイール２によって送り通路Ｐに沿い指向され、製品送り込み部署Ｓ１を通過し、ここで、タバコグループ６は、従来の態様の送りホイール１１から、対応する第１凹部５内に指向される。送りホイール１１は、搬送ホイール２の軸線３に対し平行な対応する軸線（図示せず）回りに間欠的に回転駆動される。一つのヘッド４が、被包体送り込み部署Ｓ２及び送り出し部署Ｓ３を通って指向される。被包体送り込み部署Ｓ２では、対応する被包材料リーフ８が被包体送りユニット１２によって配置領域または第２凹部７内に解放される。送り出し部署Ｓ３では、タバコグループ６がヘッド４から放出され、被包材料リーフ８に押し付けられると共に、従来の態様の下流側の被包ホイール１４上に当該リーフ８と共に指向される。この下流側被包ホイール１４は、搬送ホイール２の軸線３に対し平行な対応する軸線（図示せず）回りに間欠的に回転駆動される。
【００２１】
ヘッド４の各々は、把持装置１５を具備し、この把持装置１５は、対応する第１凹部５に付設されると共に、ホイール２の回転によって発生する遠心力に抗して当該凹部５内部に対応するタバコグループ６を保留するよう機能する。把持装置１５は、２つのジョーないし顎部１６を具備し、これらジョーは、ホイール２の軸線３に対し平行な、それぞれの軸線１７回りに枢動可能であり、従って従来のカム機構（図示せず）により、２つのジョー１６が凹部の口部９を横切って閉じる保留位置に向けまたはそこから離れるように、移動することができる。
【００２２】
また、各ヘッド４を形成する部分には、従来の態様の押圧装置１９があり、これは添付図面に部分的にのみ、送り出し部署Ｓ３に関連する限りで示されている。押圧装置１９は、周知の態様のカム機構（図示せず）によって駆動され、対応するタバコグループ６をポケットから下流側被包ホイール１４に移送するように、ポケットまたは第１凹部５の内部を並進できる。従来と同様に、この同一の押圧装置１９はまた、送りホイール１１からポケット内へのタバコグループ６の移送作用の末期まで、製品送りホイール１１の一部分を形成する類似の押圧装置（図示せず）と協働する。
【００２３】
各ヘッド４は、２つの把持装置２０をさらに具備し、これら把持装置２０は、第２凹部７に付設されると共に、当該凹部７と直接接触して対応する被包材料リーフ８を固定位置に保留するように機能し、斯くしてホイール２の回転により発生される遠心力に対抗する。各ヘッド４の２つの把持装置２０は、図１、図２及び図３の紙面に対し垂直方向に、互いに沿って配置され、従って２つの把持装置２０のうち一方のみをこれらの図面で見ることができる。
【００２４】
被包材料リーフ８を供給する前述の送りユニット１２は従来の態様であり、外側ホイール２１を具備する。この外側ホイール２１は、搬送ホイール２の軸線３に対し平行な対応する軸線２２回りに回転駆動され、空圧式輸送システムの弁を構成する固定内側ホイール２３周りを転動する。この空圧式輸送システムによって、単一の被包材料リーフ８が外側ホイール２１と接触しつつ保持され、当該ホイール２１周りに形成された複数の孔２４を介し発生される吸引力によって保留される。
【００２５】
各把持装置２０は、対応する第２凹部７の、ホイール２が送り通路Ｐに沿って回転する方向に関して前方位置を占める。より正確には、把持装置２０の各々は、図７に詳細に示される対応する装着部２５によって担持される。把持装置２０は、ホイール２の軸線３に対し平行な軸線２７に整列された枢軸２６により、対応する装着部２５に固定され、従って図７の実線で示される第１安定位置と、図７の仮想線で示される第２安定位置との間を枢軸上で揺動できる。第１安定位置では、被包材料リーフ８が決められた位置に保持され、第２安定位置では、被包材料リーフ８が解放される。
【００２６】
添付図面の実施例では、把持装置２０は、枢軸２６の両側に位置決めされた第１アーム２０ａ及び第２アーム２０ｂを具備した揺動部ないしロッカとして形成される。
【００２７】
図３は、前述のロッカ２０の第１安定位置を示しており、第１安定位置では、被包材料リーフ８が第１アーム２０ａによって第２凹部７と接触しつつ保持される。第１アーム２０ａは、一つの把持装置２０の可動ジョーとして機能し、従ってリーフ８に対し保留動作を作用させるよう機能する。
【００２８】
図２は、ロッカ２０の第２安定位置を示しており、第２安定位置では、被包材料リーフ８を第２送り込み部署Ｓ２で受け取りかつ送り出し部署Ｓ３で解放することができる。
【００２９】
次に、図４及び図５を参照すると、把持装置２０の各々は、第１アーム２０ａに付設された強磁性材料からなる第１部分２８を具備する。
【００３０】
装着部２５は、第１部分２８に対面して強磁性材料からなる第２部分２９を具備する。
【００３１】
図４及び図５を更に参照すると、各把持装置２０はまた、第２アーム２０ｂに付設された強磁性材料からなる第３部分３０を具備し、一方、装着部２５は、第３部分３０に対面して強磁性材料からなる第４部分３１を具備する。
【００３２】
包装機１は更に、前述の軸線３に対し平行に配置されかつ搬送ホイール２の周辺を越えて配置された共通軸線３２ａ回りに回転可能な２つのローラ３２を具備し、これらローラ３２は、Ｓ２，Ｓ３で示される２つの部署の間の固定位置を占めている。各ローラ３２は、各ヘッド４に付設された対応する２つの把持装置２０のうちの一方に係合するよう構成される。把持装置２０の場合について前述したように、ローラが紙面に対し垂直方向に、互いに沿って配置されるとすると、２つのローラ３２のうちの一方のみを図１、図２及び図３において見ることができる。このような各ローラ３２は、一つの把持装置２０の伝達要素３３として機能し、把持装置はこの要素によって、以下に説明するように妨害され、又はこの要素と干渉する。
【００３３】
図１、図２及び図３を参照すると、包装機１には、送り出し部署Ｓ３の下流側の予め決められた点において、搬送ホイール２の周辺を越えかつ送り通路Ｐに沿って配置された移動要素３４も装備される。
【００３４】
図１に示されるように、移動要素３４は揺動レバー３５を具備し、この揺動レバー３５は、支点枢軸３６に対し中央に装着され、従って枢軸３６の軸線３７回りに揺動できる。レバー３５は第１アーム３８と第２アーム３９とを有する。
【００３５】
第１アーム３８の一端４０には、以下により正確に示す様式で一つの把持装置２０に係合するような従動ローラ４０ａが設けられている。
【００３６】
第２アーム３９の一端４１は、接続ロッド４２に枢動可能に接続され、この接続ロッド４２は次いで、従来型のモータによって回転駆動されるカム部材４３に結合される。従来型のモータについては図示もしないし、これ以上の説明もしない。
【００３７】
図４及び図６を参照すると、包装機１は、各把持装置２０に付設されて対応する装着部２５を収納するよう機能する要素４４を具備する。図６に分離して示される当該要素４４は、図４に明確に認識できるように、機械運転中にホイール２の周辺の位置を占める。
【００３８】
各ハウジング要素４４は、それぞれ対応する締結要素４６を受け入れるような複数の孔４５を具備し、これら締結要素４６は、それぞれ対応するクランプ板４７と共に装着部２５に固定される。
【００３９】
孔４５は、搬送ホイール２の円弧に沿って連続的に配置される。
【００４０】
図７を参照すると、装着部２５は、スロットとして形成されてそれぞれの領域４９を提供する２つの間隙開口４８を有し、これら領域を介して締結要素４６を挿入できるようになっている。
【００４１】
前述の伝達要素３３及び移動要素３４は互いに組み合わさって包装機にアクチュエータ手段５０を提供し、このアクチュエータ手段５０によって、連続的な通過作用それぞれの際に、把持装置２０が前述の第１安定保留位置と第２安定解放位置との間で作動される。
【００４２】
被包ホイール１４は、タバコグループ６を下流側に運ぶよう機能する外部搬送手段１３の一部分を形成する。
【００４３】
前述の強磁性材料部分２８、２９、３０及び３１は共に、各把持装置２０が第１及び第２安定位置に保留されるのを保証するよう機能する保持手段５１を構成する。
【００４４】
把持装置２０は保持手段５１と組み合わさって包装機１にそれぞれの手段５２が設けられるようにし、この手段５２によって、一つの被包材料リーフ８が対応する第２凹部７に保留される。
【００４５】
図示されない本発明の代替的実施態様では、各把持装置２０全体を強磁性材料から形成することが可能であり、この場合把持装置２０の構造に直接組み込まれるので、当該材料からなる別個の第１部分２８及び第３部分３０は存在しない。
【００４６】
同様に図示されない本発明の他の実施態様では、把持装置２０を作動させる移動要素３４は、空圧式もしくは油圧式アクチュエータまたは磁気反発装置を具備してもよい。有利には、磁気反発装置は、把持装置２０のアーム２０ｂに作用する磁場を運転時に発生してこのアームが磁石から離間すると共に解放位置に保持され、被包材料リーフ８が自由になるよう構成された電磁石を具備してもよい。
【００４７】
次に、タバコ包装機１の作用を図１、図２及び図３を参照しながら、搬送ホイール２がその軸線３回りに、図面に示されるように反時計回りに回転することによって当該ヘッド４が第１送り込み部署Ｓ１に移動される時点から始まる、一つのヘッド４の進行について、説明する。
【００４８】
ヘッド４は、従来の方法で、部署Ｓ１で停止してポケットまたは第１凹部５内にタバコグループ６が移送できるようにし、次いでホイール２の反時計回り移動によって第２部署Ｓ２に向け前進させられる。部署Ｓ２に向かうこの移動の初期段階中に、対応する把持装置１５のジョー１６が保留位置内に引き込まれてグループ６を凹部５内に保持する。
【００４９】
ヘッド４が第２部署Ｓ２に達するときに、対応する把持装置２０は第２安定位置にあり、第２凹部７が、送りユニット１２によって周知の方法で供給される対応する被包材料リーフ８を収容することが可能になる。
【００５０】
被包材料リーフ８が凹部７内に配置されると、ホイール２は反時計回り方向にさらに回転し、自由回転するローラ３２は、対応する把持装置２０のそれぞれの第１アーム２０ａに接触するようになり、これにより、各把持装置２０がその軸線２７上で第１安定位置に向かって枢動させられる。この第１安定位置において、第１強磁性材料部分２８と第２強磁性材料部分２９間に被包材料リーフ８が固締される。
【００５１】
把持装置２０が第２位置から第１位置に移動する際に、伝達要素３３のローラ３２と把持装置２０の第１アーム２０ａとの間の接触によって生ずる機械的な力は、第３強磁性材料部分３０と第４強磁性材料部分３１間で発生する磁気引力を克服する。
【００５２】
把持装置２０の第１保留位置を示す図３に示されるように、第１強磁性材料部分２８及び第２強磁性材料部分２９は、互いに引き付けられ、その結果、実質的に互いに接触するよう引き寄せ、被包材料リーフ８の介在された部分によってのみ分離される。
【００５３】
ホイール２がその反時計回りの回転を再開すると、ヘッド４は送り通路Ｐに沿ってさらに前進させられ、送り出し部署Ｓ３に達する。ヘッド４が図２に示されるように部署Ｓ３に整列されると、ホイール２は停止し、把持装置２０は、移動要素３４によって、リーフ８が保留されている第１安定位置から、リーフ８の解放を可能にする第２安定位置まで移動させられ、それにより、押圧装置１９の排出ストロークによって下流側ホイール１４に移送されるときに、タバコグループ６の強制作用によってリーフ８を凹部７から離間させることができる。
【００５４】
特に図２を参照すると、図示しないモータにより前述のように駆動されてカム部材４３が回転されることにより、ロッド４２が移動され、対応する軸線３７回りにレバー３５が対応して移動させられる。第１アーム３８の端部４０によって担持された従動ローラ４０ａは、レバー３５の回転中に、把持装置２０の第２アーム２０ｂに係合してそれを押圧する。
【００５５】
カム駆動されるリンク部によって及ぼされる力は、第１強磁性材料部分２８と第２強磁性材料部分２９間の磁気引力を克服する効果を有し、これにより、外部の優位な作用がない場合には、把持装置２０が第１安定保留位置に維持される。このようにして、第１強磁性材料部分２８及び第２強磁性材料部分２９は、把持装置２０が枢動軸線２７上を揺動すると、把持装置の移動によって引き離され、被包材料リーフ８が自由になる。
【００５６】
最後に、レバー３５の強制移動によって生ずる軸線２７回りの枢動運動と、第３強磁性材料部分３０と第４強磁性材料部分３１の間に生じる相互引力との組み合わせの結果、把持装置２０は、リーフ８の解放を可能にする第２安定位置を再び取ることになる。
【００５７】
図７を参照すると、装着部２５を収納する要素４４は、装着部２５が取り得る、ホイール２の軸線３に対するさまざまな複数の角度位置を決定するよう形成され、各角度位置により、配置領域または第２凹部７がさまざまなサイズのリーフ８を受け入れることが可能となる。
【００５８】
言い換えれば、タバコグループ６のサイズが変更されるということは、対応する被包材料リーフ８をさまざまな寸法のリーフ８で置き換えなければならないことを意味するところ、この場合、締結要素４６及びクランプ板４７を単に取り除くことで十分であり、また、第２凹部７をサイズ変更すると共に、当該凹部７を占める新しい被包材料リーフ８に強固な保持作用を与えるよう把持装置２０が位置決めされるのを保証するように、装着部２５を再位置決めすることができる。
【００５９】
実際、さまざまな複数の孔４５のうちの一つに各締結要素４６を挿入して第１近似位置を獲得することにより、装着部２５が再位置決めされる。正確な位置は、次いで、スロット４８により提供される調整用マージンを利用して選択することができる。
【００６０】
図面に示されていないが本発明の範囲内に含まれる代替的実施態様によれば、搬送ホイール２の周辺範囲の外側に位置決めされかつ把持装置２０を妨害するように構成される伝達要素３３は、必ずしもローラ３２である必要はなく、カムのような固定プロフィル、または実質的に周知の種類の可動配置要素として、等しく具体化され得る。
【００６１】
同様に、図面に示されていないが本発明の範囲内に含まれるさらなる代替的実施態様によれば、位置決めスロットを、可動ハウジング要素４４内でなく、ホイール２内に直接形成してもよく、一方、装着部２５は、簡単なねじ付き孔を提供してもよいし、又は装着部２５に直接固定された他の締結要素を使用してもよい。
【図面の簡単な説明】
【００６２】
【図１】一部を省略して残りがより良く示されるようにした、本発明に従って具体化された包装機の概略立面図である。
【図２】ある作動形態にある図１の包装機を示す図である。
【図３】図２とは別の作動形態にある図１の包装機を示す図である。
【図４】ある作動形態にある図１から図３に示す包装機の部分断面詳細図であって、明瞭にするために一部が省略されている図である。
【図５】図４とは別の作動形態にある図１から図３に示す包装機の部分断面詳細図であって、明瞭にするために一部が省略されている図である。
【図６】図１から図５に示す包装機の上方から見た詳細斜視図である。
【図７】図１から図５に示す包装機の概略的な詳細立面図である。
【符号の説明】
【００６３】
１    タバコ包装機
２    被包ホイール
４    ヘッド
５    ポケット
６    製品
７    配置領域
８    被包材料リーフ
２０    把持装置
【図１】
2005104592.tif 000003
【図２】
2005104592.tif 000004
【図３】
2005104592.tif 000005
【図４】
2005104592.tif 000006
【図５】
2005104592.tif 000007
【図６】
2005104592.tif 000008
【図７】
2005104592.tif 000009